(57)【特許請求の範囲】
【請求項１】
クライアントから送信されてくるパケットに基づいて、前記クライアントにて所望するサービスを識別し、サービスを提供する複数のサービス提供手段のうち前記識別されたサービスを提供するサービス提供手段に前記クライアントから送信されてきたパケットを振り分けて転送するサービス振分方法であって、
第１のレイヤにおいて、前記クライアントから送信されてきたパケットのヘッダ情報によって前記クライアントからのサービス開始要求を抽出する処理と、
前記第１のレイヤよりも高い第２のレイヤにおいて、前記抽出したサービス開始要求から前記所望するサービスを識別する処理と、
前記第２のレイヤにおいて、前記サービス開始要求を送信したクライアントの当該サービスの利用状況を確認するとともに、前記サービス開始要求を送信したクライアント情報を確認する処理と、
前記第２のレイヤにおいて、前記サービスの利用状況および前記クライアント情報に基づいて、前記クライアントから送信されてきたパケットの振分先のサービス提供手段を決定する処理と、
前記第１のレイヤにおいて、前記クライアントから送信されてきたパケットを、前記振分先に決定したサービス提供手段に転送する処理とを有するサービス振分方法。
【請求項２】
請求項１に記載のサービス振分方法において、
前記クライアントからのブロードキャストパケットを前記サービス開始要求として抽出するサービス振分方法。
【請求項３】
請求項２に記載のサービス振分方法において、
前記ブロードキャストパケットを、前記振分先のサービス提供手段へのユニキャストに書き換えて転送するサービス振分方法。
【請求項４】
請求項２に記載のサービス振分方法において、
前記ブロードキャストパケットを、ＶＬＡＮ設定を行うことで、前記振分先のサービス提供手段のみに転送するサービス振分方法。
【請求項５】
請求項２に記載のサービス振分方法において、
前記ブロードキャストパケットに対し、前記振分先のサービス提供手段として応答することにより振分設定を行うサービス振分方法。
【請求項６】
請求項１乃至５のいずれか１項に記載のサービス振分方法において、
前記クライアントから前記振分先のサービス提供手段へのパケットの転送状況を定期的に確認し、パケットが一定期間転送されていなければ振分設定を解除するサービス振分方法。
【請求項７】
請求項１乃至５のいずれか１項に記載のサービス振分方法において、
前記振分先のサービス提供手段が提供するサービスに関する、前記クライアントによる利用状況を定期的に確認し、サービスが一定期間利用されていなければ振分設定を解除するサービス振分方法。
【請求項８】
クライアントと、該クライアントにサービスを提供する複数のサービス提供手段とに接続され、前記クライアントから送信されてくるパケットに基づいて、前記クライアントにて所望するサービスを識別し、前記複数のサービス提供手段のうち前記識別されたサービスを提供するサービス提供手段に前記クライアントから送信されてきたパケットを振り分けて転送するサービス振分装置であって、
第１のレイヤにて処理を行う第１の処理部と、
前記第１のレイヤよりも高い第２のレイヤにて処理を行う第２の処理部とを有し、
前記第１の処理部は、前記クライアントから送信されてきたパケットのヘッダ情報によって前記クライアントからのサービス開始要求を抽出し、
前記第２の処理部は、前記抽出したサービス開始要求から前記所望するサービスを識別し、前記サービス開始要求を送信したクライアントの前記サービスの利用状況を確認するとともに、前記サービス開始要求を送信したクライアント情報を確認し、前記サービスの利用状況および前記クライアント情報に基づいて、前記クライアントから送信されてきたパケットの振分先のサービス提供手段を決定し、
前記第１の処理部は、前記クライアントから送信されてきたパケットを、前記振分先に決定したサービス提供手段に転送するサービス振分装置。
【請求項９】
請求項８に記載のサービス振分装置において、
前記第１の処理部は、前記クライアントからのブロードキャストパケットを前記サービス開始要求として抽出するサービス振分装置。
【請求項１０】
請求項９に記載のサービス振分装置において、
前記第１の処理部は、前記ブロードキャストパケットを、前記振分先のサービス提供手段へのユニキャストに書き換えて転送するサービス振分装置。
【請求項１１】
請求項９に記載のサービス振分装置において、
前記第１の処理部は、前記ブロードキャストパケットを、ＶＬＡＮ設定を行うことで、前記振分先のサービス提供手段のみに転送するサービス振分装置。
【請求項１２】
請求項９に記載のサービス振分装置において、
前記第２の処理部は、前記ブロードキャストパケットに対し、前記振分先のサービス提供手段として応答することにより振分設定を行うサービス振分装置。
【請求項１３】
請求項８乃至１２のいずれか１項に記載のサービス振分装置において、
前記第２の処理部は、前記クライアントから前記振分先のサービス提供手段へのパケットの転送状況を定期的に確認し、パケットが一定期間転送されていなければ振分設定を解除するサービス振分装置。
【請求項１４】
請求項８乃至１２のいずれか１項に記載のサービス振分装置において、
前記第２の処理部は、前記振分先のサービス提供手段が提供するサービスに関する、前記クライアントによる利用状況を定期的に確認し、サービスが一定期間利用されていなければ振分設定を解除するサービス振分装置。
【発明の詳細な説明】
【技術分野】
【０００１】
本発明は、クライアントに複数のサービスを提供する情報通信ネットワークにおいて、クライアントの接続先をそのクライアントに提供されるサービスに応じて振り分けるサービス振分方法およびサービス振分装置に関する。
【背景技術】
【０００２】
従来、複数のサービスが存在するネットワークにおいて、クライアントが所望のサービス処理を行う機能を有する装置への振分設定を動的に行うために、Ｌ４スイッチやＬ７スイッチにより、サービス開始要求の抽出とサービスを識別したパケット転送を行っている。
【０００３】
Ｌ４スイッチは、ＴＣＰまたはＵＤＰのポート番号まで参照して振分先を決定することから、より多数のサービスに対しサービスセッション単位の振り分けが可能となる。また、Ｌ７スイッチは、パケットのペイロードの中身まで参照して振分先を決定することから、Ｌ４スイッチと同様に、より多数のサービスに対しサービスセッション単位の振り分けが可能となる。
【０００４】
また、上述したようなサービスの振り分けを、Ｌ２スイッチを用いて行うことも考えられている（例えば、特許文献１参照。）。Ｌ２スイッチを用いる場合は、低機能により、装置コストや消費電力を低く抑えることができる。
【先行技術文献】
【特許文献】
【０００５】
【特許文献１】特開２００５-３１１９５７号公報
【発明の概要】
【発明が解決しようとする課題】
【０００６】
しかしながら、Ｌ４スイッチやＬ７スイッチを用いるものにおいては、高機能となるため、装置コストや消費電力が高くなってしまうという問題点がある。
【０００７】
また、Ｌ２スイッチを用いるものにおいては、クライアントに事前にサービス識別子を割り当て、その識別子により振り分ける経路を事前に設定しておくというような静的設定を行う必要があるため、設定管理コストが高くなってしまうという問題点がある。
【０００８】
本発明は、上述したような従来の技術が有する問題点に鑑みてなされたものであって、複数のサービスごとにサービス提供手段がある状況において、クライアントからのサービス提供手段への接続の振り分けを、装置コスト、消費電力および設定管理コストを低減しながら実現することができるサービス振分方法およびサービス振分装置を提供することを目的とする。
【課題を解決するための手段】
【０００９】
上記目的を達成するために本発明は、
クライアントから送信されてくるパケットに基づいて、前記クライアントにて所望するサービスを識別し、サービスを提供する複数のサービス提供手段のうち前記識別されたサービスを提供するサービス提供手段に前記クライアントから送信されてきたパケットを振り分けて転送するサービス振分方法であって、
第１のレイヤにおいて、前記クライアントから送信されてきたパケットのヘッダ情報によって前記クライアントからのサービス開始要求を抽出する処理と、
前記第１のレイヤよりも高い第２のレイヤにおいて、前記抽出したサービス開始要求から前記所望するサービスを識別する処理と、
前記第２のレイヤにおいて、前記サービス開始要求を送信したクライアントの当該サービスの利用状況を確認するとともに、前記サービス開始要求を送信したクライアント情報を確認する処理と、
前記第２のレイヤにおいて、前記サービスの利用状況および前記クライアント情報に基づいて、前記クライアントから送信されてきたパケットの振分先のサービス提供手段を決定する処理と、
前記第１のレイヤにおいて、前記クライアントから送信されてきたパケットを、前記振分先に決定したサービス提供手段に転送する処理とを有する。
【００１０】
また、クライアントと、該クライアントにサービスを提供する複数のサービス提供手段とに接続され、前記クライアントから送信されてくるパケットに基づいて、前記クライアントにて所望するサービスを識別し、前記複数のサービス提供手段のうち前記識別されたサービスを提供するサービス提供手段に前記クライアントから送信されてきたパケットを振り分けて転送するサービス振分装置であって、
第１のレイヤにて処理を行う第１の処理部と、
前記第１のレイヤよりも高い第２のレイヤにて処理を行う第２の処理部とを有し、
前記第１の処理部は、前記クライアントから送信されてきたパケットのヘッダ情報によって前記クライアントからのサービス開始要求を抽出し、
前記第２の処理部は、前記抽出したサービス開始要求から前記所望するサービスを識別し、前記サービス開始要求を送信したクライアントの前記サービスの利用状況を確認するとともに、前記サービス開始要求を送信したクライアント情報を確認し、前記サービスの利用状況および前記クライアント情報に基づいて、前記クライアントから送信されてきたパケットの振分先のサービス提供手段を決定し、
前記第１の処理部は、前記クライアントから送信されてきたパケットを、前記振分先に決定したサービス提供手段に転送する。
【００１１】
このように、本発明においては、サービス振分装置においてクライアントからのサービス提供手段への振り分けの設定契機を抽出し、クライアントから送信されてきたパケットの振分経路を設定し、その振分経路に従ってパケットの転送を行うことにより、低設定管理コストを実現し、また、設定契機の抽出と振分設定後のパケット転送を第１のレイヤにて行い、設定契機の抽出後にサービス識別、サービス利用状況確認、クライアント情報確認、振分先サービス制御部の決定および振分経路設定などを、第１のレイヤよりも高い第２のレイヤで行うというように高位処理を必要最低限に限定することにより、低装置コストおよび低消費電力を実現する。
【発明の効果】
【００１２】
以上説明したように本発明においては、複数のサービスごとに複数のサービス提供手段がある状況において、クライアントからのサービス提供手段への接続の振り分けを、サービス利用状況やクライアント情報から動的に設定することで設定管理コストを低減することができるとともに、動的設定の契機となるクライアントからのサービス開始要求の抽出と、振り分けを実現するためのサービスを識別したパケット転送を第１のレイヤにて行い、設定契機の抽出後にサービス識別、サービス利用状況確認、クライアント情報確認、振分先サービス制御部の決定および振分経路設定などを、第１のレイヤよりも高い第２のレイヤで行うことにより、装置コスト・消費電力を低減することができる。
【図面の簡単な説明】
【００１３】
【図１】本発明のサービス振分装置を用いたネットワーク構成の一例を示すブロック図である。
【図２】本発明のサービス振分装置を用いたネットワーク構成の他の例を示すブロック図である。
【図３】図１および図２に示した振分部の構成を示すブロック図である。
【図４】図１に示したネットワークにてブロードキャストがARP requestの場合におけるＭＡＣアドレス書き換えによる振分設定の処理を説明するためのタイミングチャートである。
【図５】図１に示したネットワークにてブロードキャストがARP requestの場合における動的ＶＬＡＮ設定による振分設定の処理を説明するためのタイミングチャートである。
【図６】図１に示したネットワークにてブロードキャストがARP requestの場合における代理応答による振分設定の処理を説明するためのタイミングチャートである。
【発明を実施するための形態】
【００１４】
以下に、本発明の実施の形態について図面を参照して説明する。
【００１５】
図１は、本発明のサービス振分装置を用いたネットワーク構成の一例を示すブロック図である。
【００１６】
本形態におけるネットワークは、図１に示すように、データの送受信を行う複数のクライアント２−１，２−２と、Ａサービスを提供するサービス提供ネットワーク６への接続可否判断と接続処理を行うサービス制御部３−１，３−２と、Ｂサービスを提供するサービス提供ネットワーク７への接続可否判断と接続処理を行うサービス制御部３−３とにサービス振分装置１が接続されて構成されている。サービス制御部３−１，３−２はネットワーク８を介してサービス提供ネットワークにそれぞれ接続され、サービス制御部３−３はネットワーク８を介してサービス提供ネットワーク７に接続されており、これらサービス制御部３−１〜３−３は、ネットワーク８を介して加入者管理サーバ４および設備管理サーバ５に接続されている。なお、サービス制御部３−１〜３−３およびサービス提供ネットワーク６，７が、本発明のサービス提供手段に相当するものである。そして、サービス振分装置１には、振分部１０が設けられている。
【００１７】
上記のように構成されたネットワークにおいては、クライアント２−１，２−２は、サービス振分装置１の振分部１０により、複数のサービスそれぞれに複数あるサービス制御部３−１〜３−３のうち、所望のサービスのサービス制御部の１つに接続され、そのサービス制御部とネットワーク８を介してサービス提供ネットワークへと接続する。これにより、クライアント２−１，２−２から送信されたパケットは、サービス振分装置１の振分部１０、サービス制御部３−１〜３−３およびネットワーク８を経由し、サービス提供ネットワーク６，７へと転送される。
【００１８】
ここで、クライアント２−１，２−２のサービス提供ネットワーク６，７への接続について、サービス制御部３−１〜３−３がＳＢＣ（Session Boarder Controller）で、サービス提供ネットワーク６，７が電話ネットワークである場合を例に挙げて説明する。
【００１９】
クライアント２−１，２−２は、振分部１０によって複数のサービス制御部３−１〜３−３のうちのＳＢＣの１つに接続され、ＳＢＣによりＮＡＰＴとシェイピングの処理を受け、ＳＩＰサーバや通話先相手の端末が接続されている電話ネットワークに接続する。
【００２０】
振分部１０は、クライアント２−１，２−２から送信されてきたパケットに基づいて、クライアント２−１，２−２にて所望するサービスを識別し、そのクライアント２−１，２−２とそのサービスの組み合わせの振り分け先のサービス制御部が設定されていなければ、そのサービス制御部を選択し、クライアント２−１，２−２からのサービス制御部への振り分けを設定して、一定時間、そのクライアント２−１，２−２から送信されたそのサービスのパケットを、ヘッダ情報を参照して設定されたサービス制御部へと振り分けて転送する。
【００２１】
振分部１０は、ネットワーク８を介して、クライアント２−１，２−２の情報を管理する加入者管理サーバ４と、振分部１０やサービス制御部３−１〜３−３などの装置情報を管理する設備管理サーバ５に接続されており、これら加入者管理サーバ４や設備管理サーバ５に、必要に応じて専用のサービス制御部３−１〜３−３を経由して接続して情報を確認する。
【００２２】
図２は、本発明のサービス振分装置を用いたネットワーク構成の他の例を示すブロック図である。
【００２３】
本形態におけるネットワークは、図２に示すように、接続するクライアント２−１〜２−４の数が大多数に上っており、そのため、サービス振分装置１内に、２つの振分部１０−１，１０−２と、接続部２０とが設けられている。
【００２４】
接続部２０は、複数の振分部１０−１，１０−２と、複数のサービス制御部３−１〜３−３との接続を多重する。振分部１０−１，１０−２により、クライアント２−１〜２−４にて所望するサービスのパケットをどのサービス制御部３−１〜３−３へ振り分けて転送するかが設定されており、振分部１０−１，１０−２から転送されてくるパケットを、ヘッダ情報を参照して設定されたサービス制御部へと振り分けて転送する。また、サービス制御部３−１〜３−３からのクライアント２−１〜２−４へのパケットを、ヘッダ情報を参照して、そのクライアント２−１〜２−４が接続されている振分部へと転送する。
【００２５】
図３は、図１および図２に示した振分部１０，１０−１，１０−２の構成を示すブロック図である。
【００２６】
本形態における振分部１０，１０−１，１０−２は図３に示すように、第１の処理部であるＬ２処理部１１と、第２の処理部である高位処理部１２とから構成されている。
【００２７】
Ｌ２処理部１１は、クライアント２−１〜２−４から送信されてきたパケットに対して、第１のレイヤであるレイヤ２にて処理を行うものであり、クライアント２−１〜２−４から送信されてきたパケットのヘッダ情報により、振分設定契機となるクライアント２−１〜２−４からのサービス開始の要求を抽出する処理と、また、クライアント２−１〜２−４から送信されてきたパケットを、既に振分設定されているパケットのヘッダ情報に基づいてサービス制御部３−１〜３−３に転送する処理とを行う。
【００２８】
高位処理部１２は、クライアント２−１〜２−４から送信されてきたパケットに対して、第２のレイヤであるレイヤ４やレイヤ６にて処理を行うものであり、Ｌ２処理部１１が抽出したクライアント２−１〜２−４からのサービス開始要求を受け取り、サービス開始要求のパケットからクライアント２−１〜２−４が所望するサービスを識別し、必要に応じて加入者管理サーバ４にクライアント情報を問い合わせ、振分部１０で確認できるサービスの利用状況と確認したクライアント情報とに基づいて、クライアント２−１〜２−４から送信されてきたパケットの振分先のサービス制御部を決定し、そのサービス制御部への振分設定をＬ２処理部１１に対して行う。また、図２に示したように、サービス振分装置１に接続部２０が設けられている場合は、振分設定を接続部２０に対しても行う。過負荷状態などにより、接続可能なサービス制御部が存在しない場合には、そのサービスについては一定期間、サービス制御部には接続しないようにし、一定期間後のサービス開始要求を受け取った際に振分設定を行う。
【００２９】
なお、この振分設定は一定時間保持され、サービス開始要求抽出時に、そのクライアントのそのサービスへの振り分けが既に設定されているかを高位処理部１２が確認し、振分設定されている場合は、クライアント２−１〜２−４から送信されてきたパケットを、既に設定されているサービス制御部へと引き続き転送する。
【００３０】
ここで、この振分設定の解除方法を説明する。
【００３１】
振分部１０，１０−１，１０−２のパケット転送状態を確認する、または、該当するサービス制御部３−１〜３−３に利用状況を問い合わせることで、既に設定したあるクライアント２−１〜２−４とサービスとの組み合わせの振分経路の利用状況を定期的に確認し、パケットの転送やサービスの利用が一定時間無ければ、振分設定を解除し、次のサービス開始要求時に再度設定する。
【００３２】
レイヤ２を利用するネットワークサービスは、サービスの開始時にブロードキャストにより接続相手を探し、その後にデータ転送を行うことが一般的であり（DHCP discovery、ARP request、PPPoE PADI）、このブロードキャストを振分設定の契機の抽出として利用する動作を説明する。
【００３３】
クライアント２−１，２−２が新たにサービスを利用しようとする場合、振分部１０は、Ｌ２処理部１１においてクライアント２−１，２−２からのブロードキャストパケットをパケットのヘッダ情報から抽出し、高位処理部１２に転送する。
【００３４】
高位処理部１２においては、ブロードキャストパケットのパケット情報からクライアント２−１，２−２とサービスを識別する。そして、クライアント情報とサービス利用状況とに基づいて、クライアント２−１，２−２から送信されてきたパケットの振分先のサービス制御部を決定し、そのサービス制御部への振分設定を行う。
【００３５】
以下に、振分設定をＭＡＣアドレス書き換えにより行う場合について説明する。
【００３６】
図４は、図１に示したネットワークにてブロードキャストがARP requestの場合におけるＭＡＣアドレス書き換えによる振分設定の処理を説明するためのタイミングチャートである。
【００３７】
サービスＡ用のＩＰアドレスＡがＤＮＳにより、あらかじめクライアント２−１に払い出されている。サービス用のＩＰアドレスは、クライアント２−１自身に払いだされているＩＰアドレスと同一セグメントであり、直接サービス用ＩＰアドレスにパケット転送を行う。
【００３８】
サービス開始時にクライアント２−１は、ＩＰアドレスＡのＭＡＣアドレスを調べるため、ＡＲＰ要求をブロードキャストパケットとして送信する。このブロードキャストパケットはサービス振分装置１にて受信され、振分部１０のＬ２処理部１１は、このＡＲＰ要求をサービス開始要求として抽出し、高位処理部１２に転送する。
【００３９】
高位処理部１２は、送信元ＭＡＣアドレスからクライアント２−１を判別し、ＡＲＰ要求パケットの問い合わせＩＰアドレス情報からサービスを識別する。高位処理部１２は、そのクライアントのサービスＡの振分設定が既に設定されているかを確認し、設定されていなければ、振り分けるサービスＡのサービス制御部３−１，３−２のうち１つのサービス制御部３−１を選択し、ブロードキャストパケットの宛先ＭＡＣアドレスを書き換え、選択したサービス制御部３−１のＭＡＣアドレスＡ−１宛のユニキャストパケットとしてＡＲＰ要求を転送する。
【００４０】
振分部１０のＬ２処理部１１や接続部２０の、宛先ＭＡＣアドレスＡ−１に基づくＬ２のパケット転送により、ＡＲＰ要求は選択されたサービス制御部３−１に届き、パケットを受け取ったサービス制御部３−１は、自身のＭＡＣアドレス宛に送信するようクライアント２−１にＡＲＰ応答を返送する。
【００４１】
ＡＲＰ応答を受け取ったクライアント２−１は、それ以降、サービスＡ用のパケットに関しては、ＭＡＣアドレスＡ−１宛に送信するため、振分部１０は、Ｌ２処理部１１においてＭＡＣアドレスに基づく転送を行うだけで、クライアント２−１から送信されたパケットを振分先のサービス制御部３−１へ転送することができる。
【００４２】
振分設定は一定時間保持されるため、設定解除前にクライアント２−１がＡＲＰ要求のブロードキャストパケットを送信した場合は、再設定は行わず、既に設定されているサービス制御部へと引き続き転送される。ＡＲＰテーブルのように、クライアント２−１側が独自のタイミングでテーブルのリフレッシュを行うため、クライアント２−１側のＡＲＰテーブルがリフレッシュされていないのに、振分部側の振分設定が解除されないような振分設定のリフレッシュタイマを設定する。
【００４３】
この動作は、DHCP discoveryやPPPoE PADIなど、サービス開始時にブロードキャストパケットを利用する他のサービスについても同様となる。なお、DHCPやPPPOEの場合、DNSでサービスごとのＩＰアドレスを払い出す必要はなく、パケットヘッダのイーサタイプフィールドでサービスを識別する。
【００４４】
以下に、振分設定を動的ＶＬＡＮ設定により行う場合について説明する。
【００４５】
図５は、図１に示したネットワークにてブロードキャストがARP requestの場合における動的ＶＬＡＮ設定による振分設定の処理を説明するためのタイミングチャートである。
【００４６】
クライアント２−１，２−２には、クライアント２−１，２−２ごとのＶＬＡＮがあらかじめ設定されている。
【００４７】
ブロードキャストパケットを振分部１０の高位処理部１２に転送するまでは、ＭＡＣアドレス書き換えによる振分設定と同様である。
【００４８】
高位処理部１２は、パケットのＶＬＡＮタグまたは送信元ＭＡＣアドレスからクライアント２−１を判別し、ＡＲＰ要求パケットの問い合わせＩＰアドレスからサービスを識別する。高位処理部１２は、クライアント２−１のサービスＡの振分設定が既に設定されているかを確認し、設定されていなければ振り分けるサービスＡのサービス制御部３−１，３−２のうち１つのサービス制御部３−１を選択し、振分部１０のＬ２処理部１１から選択したサービス制御部３−１までの経路に、クライアント２−１に設定されているＶＬＡＮ ａを動的に設定する。ＶＬＡＮの設定後、そのＶＬＡＮ上でＡＲＰ要求をブロードキャストパケットのまま転送する。
【００４９】
振分部１０のＬ２処理部１１や接続部２０の、ＶＬＡＮの設定に基づいた転送により、ＡＲＰ要求はブロードキャストパケットのままでも、ＶＬＡＮ ａが設定された経路にしか転送されず、それにより、選択されたサービス制御部３−１にのみ転送することができる。これ以降の動作は、ＭＡＣアドレス書き換えによる振分設定と同様である。振分設定の解除の場合には、動的ＶＬＡＮ設定による振分設定では、ＶＬＡＮ設定の解除が必要となる。
【００５０】
以下に、振分設定を代理応答により行う場合について説明する。
【００５１】
図６は、図１に示したネットワークにてブロードキャストがARP requestの場合における代理応答による振分設定の処理を説明するためのタイミングチャートである。
【００５２】
ブロードキャストパケットを振分部１０の高位処理部１２に転送するまでは、ＭＡＣアドレス書き換えによる振分設定と同様である。
【００５３】
高位処理部１２は、パケットの送信元ＭＡＣアドレスからクライアント２−１を判別し、ＡＲＰ要求パケットの問い合わせＩＰアドレスからサービスを識別する。高位処理部１２は、クライアント２−１のサービスＡの振分設定が既に設定されているかを確認し、設定されていなければ振り分けるサービスＡのサービス制御部３−１，３−２のうち１つのサービス制御部３−１を選択し、選択したＭＡＣアドレスＡ−１のサービス制御部３−１としてＡＲＰ応答をクライアント２−１に転送する。これ以降の動作は、ＭＡＣアドレス書き換えによる振分設定と同様である。
【００５４】
代理応答による振分設定では、DHCPやPPPoEのブロードキャストにも応答できるよう、サービスごとの応答機能を振分部１０が持つ。
【００５５】
このように、サービス振分装置１がサービス制御部３−１として代理応答することで、複数のサービスに対し、複雑な処理を行わずに振分経路を設定することが可能となる。
【００５６】
ここで、サービス制御部の増設時の振分部１０への自動登録方法を説明する。
【００５７】
サービス制御部が増設された場合には、増設されたサービス制御部が、自身の追加通知を振分部１０に転送する。追加通知を受け取った振分部１０は、設備管理サーバ５に追加されたサービス制御部の詳細情報を問い合わせ、その情報を振分部１０自身に登録し、振分対象として認識する。
【符号の説明】
【００５８】
１    サービス振分装置
２−１〜２−４    クライアント
３−１〜３−４    サービス制御部
４    加入者管理サーバ
５    設備管理サーバ
６，７    サービスネットワーク
８    ネットワーク
１０，１０−１，１０−２    振分部
１１    Ｌ２処理部
１２    高位処理部
２０    接続部
【図１】
0005405415.tif 000002
【図２】
0005405415.tif 000003
【図３】
0005405415.tif 000004
【図４】
0005405415.tif 000005
【図５】
0005405415.tif 000006
【図６】
0005405415.tif 000007